(57)【要約】      （修正有）【課題】接触時にも安全で、各パーツ分解洗浄が可能で、使用時における酸素欠乏症を防ぎ、また湯面での使用は勿論の事、固定器具の使用により浴槽の大きさや湯量を選ばない浴槽用スチームサウナドームを提供する。【解決手段】骨組み部１、２、３、４、５を重ね、両端部に設けた穴に接続用ボルト６を差込み、裏から接続用ナット７で仮固定し、マジックテープがついた骨組み部にドーム用カバー８を装着し、骨組み部１、２を持って扇状に広げる事によりドームを形成し、ドームが完成したら、接続用ナット７で絞め込み、両端部の湯面に接触する骨組み１、２は浮力があり、水面での使用は勿論、専用固定器具９の使用により浴槽のサイズや湯量を気にせず使用する事が可能となり、また、骨組み部１及び５には酸素欠乏症を防ぐ為の隙間を設けている。【選択図】図１
2016097284.tif 000002
【特許請求の範囲】
【請求項１】
５本の骨組み部の両端部に設けた穴に接続用ボルトを通し、裏から接続用ナットで固定し、ドーム用カバーで覆った後に接続用ボルト及び接続用ナットを軸として広げて使用する浴槽用スチームサウナドーム。
【請求項２】
全てのパーツが分解洗浄組み立て可能である構造を持つスチームサウナドーム。
【請求項３】
両端部の骨組みの材質にはエチレン−酢酸ビニル共重合樹脂を使用し湯面に浮かべて使用する事が可能なスチームサウナドーム。
【請求項４】
使用しない時には折りたたむ事が可能なスチームサウナドーム。
【請求項５】
接触時に怪我をしないパーツを使用しているスチームサウナドーム。
【請求項６】
スチームサウナドームを浴槽内にて固定する事が出来る、変形自由調整が可能な固定器具。
【発明の詳細な説明】
【技術分野】
【０００１】本発明は浴槽用サウナドームとその固定器具に関するものである。
【背景技術】
【０００２】従来の入浴用サウナドームは浴室内上部に固定器具を設置し、そこから吊り下げるもの、もしくは、ドームの代用品として傘を使用していた。
【先行技術文献】
【特許文献】
【０００３】
【特許文献１】ｈｔｔｐ：／／ｉｔｅｍ．ｒａｋｕｔｅｎ．ｃｏ．ｊｐ／ｂａｔｈｌｉｅｒ／８０００２６／？ｓｃｉｄ＝ａｆ＿ｐｃ＿ｌｉｎｋ＿ｉｍｇ＆ｓｃ２ｉｄ＝２８０１２６０１３
【発明の概要】
【発明が解決しようとする課題】
【０００４】ところが前記の浴室上部から固定器具を利用して吊り下げるタイプの従来品は、その固定器具が外れてしまい、ドームが落下するという問題が多々発生しており、また、酸素欠乏症対策がなされていなかった。加えて衛生面を考慮しても手軽に洗浄する事は容易ではなかった。傘による代用については従来の使用目的ではないが故に浴槽内での使用においては安全性を保障するものではなく、接触時において骨組み部が金属製であるが故、折れた金属部分が露出して怪我に発展する危険性がある。【０００５】そこで、浴槽内に溜められた湯面の浮力、及び浴槽内に設置可能である固定器具を利用し、落下の心配もなく、湯量や浴槽のサイズを選ばず、容易に分解、洗浄、組み立てが可能で、不意な接触による事故、及び長時間の使用による酸素欠乏症事故が起こらない本発明を考案した。
【課題を解決するための手段】
【０００６】請求項１〜５に記載の発明はボルト（６）に骨組み部を（１）（２）（３）（４）（５）の順番で両端部の軸用の穴に左右５枚づつ通し、裏からナット（７）で仮止め固定する。次に密閉用カバー（８）と骨組み部に取り付けたマジックテープを貼り合わせ、広げてドームを形成する。折りたたみ時における過度の可動を防止する為、各骨組み部の頂点にストッパーを設けている。また、骨組み部（１）（２）（３）（４）（５）の接続部分には使用時による酸素欠乏症を防ぐ為の隙間を設けている。【０００７】使用する際は湯面に浮かべる事も出来るが、請求項６に記載の発明である固定器（９）により、浴槽の大きさやその時の湯量に合わせてドームを固定する事が可能となる。
本発明は以上の構成による、浴槽用スチームサウナドームである。
【発明の効果】
【０００８】折りたたみが可能な形状になっているので、使用しない時は、浴室内の至る場所へ置く事が可能になっている。【０００９】本発明品は水面に接する箇所は材質と構造上により、水面に浮かべて使用する事が可能である。【００１０】固定器具を使用する事により、浴槽内のサイズ、湯量を気にせずに形成したドームを固定する事が出来る。【００１１】急な接触時における破損や破損箇所での怪我を考慮して安全な材質を使用する事により転倒や接触による事故や破損も無く、安心して使用する事が出来る【００１２】カバー部は骨組部から取り外し可能になっているので、カバーの洗浄も容易になり、加えて骨組み部を固定しているボルトとナットを外せば全てのパーツが分解可能となっており、洗浄も出来るので衛生的にも有効である。【００１３】骨組み部の接続部分には隙間を設けているので、酸素欠乏症の心配もなく、長時間使用する事が出来る。
【図面の簡単な説明】
【００１４】１ページ
【図１】本発明の斜視図である。
【図２】本発明の骨組み部の両端に設けられた穴の接続部分に使用するナット及びボルトの斜視図及び断面図である。
【図３】本発明のドームを固定する為の器具の斜視図及び断面分解図である。２ページ
【図４】本発明の上面図である。
【図５】本発明の側面図である。３ページ
【図６】本発明を湯面に浮かべて使用した場合の正面図である。
【図７】本発明品を固定器具を用いて使用した場合の正面図である。
【発明を実施するための形態】
【実施例】
【００１５】以下、本発明の実地の形態を図１〜７に基づいて説明する。【００１６】骨組み部（１）及び（５）に関しては水面に接する部品であるので、水面に浮かばせて使用する際の為に厚みを持たせている。その厚み部分が湯面での使用時においても固定器具を用いての使用時においても隙間を作るので酸素欠乏症予防となる。また形状は湾曲が可能である骨組み部（２）（３）（４）の半円形状を維持させる為に（１）（５）の形状は半円とする。【００１７】接続用ボルト（６）及び保護カバー（７ａ）とナット（７ｂ）から構成される接続用ナット（７）に関しては、全ての骨組み部の両端を繋ぎ合わせ、ドームの形状の基礎である骨組み部を半円状にする為に使用する。またドーム完成時において、ナットを締め込み、ドームの開閉位置を固定するものであり、左右の両端に対し、各１つずつ使用する。接続用ナットは接触時においても怪我が起こらない様に保護カバーの中にナットを埋め込んでいる構造になっている。【００１８】ドームカバーは（８）ドーム内の温度や湿度を保つものである。全ての骨組み部にはドームカバー（８）を繋ぎ合わせる為のマジックテープが取り付けられており、また、同様にドームカバーの内部にもドームを完成させる為の位置（０度４５度９０度１３５度１８０度の左右上部各３箇所ずつ）にマジックテープが取り付られている。【００１９】（９ａ）（９ｂ）（９ｃ）（９ｄ）から構成される固定器具（９）は完成したドームを浴槽内にて固定するものであり、、ドームの前方左右２箇所後方左右２箇所、合計４つを浴槽内に取り付ける。凹凸のない浴槽内であれば、どの位置にでも設置可能であり、固定器具の（９ｂ）（９ｃ）から構成される棒部分にドームを乗せて使用する。【００２０】本発明品を構成する材質については水面接触骨組み部分（１）（５）及びナットカバー（７ａ）、固定器具カバー（９ｂ）についてはエチレン−酢酸ビニル共重合樹脂を使用し、針金芯（９ｃ）は針金を使用する。エンドキャップ（９ｄ）については塩化ビニール樹脂、それ以外の骨組み部（２）（３）（４）については丈夫かつ軟質であり、耐熱対候性に優れたポリセームを使用する。ボルト（６）とナット（７ｂ）についてはプラスチック製とする。ドームカバーは対候性に優れたビニール素材もしくはファブリック素材を使用する。【００２１】組み立て時においては接続用ボルト（６）に骨組み部（１）（２）（３）（４）（５）の順番で両端部に開けられた穴を左右５枚づつ通し、接続用ナット（７）にて仮絞めする。この時点で、骨組み部の両端部がボルトとナットで仮固定され、ドームを形成する形状が保たれる。次に密閉用カバー（８）に取り付けられたマジックテープを各骨組み部の同じ場所に取り付けられたマジックテープの箇所に貼り合わせ、全て貼り終えたら骨組み部（１）（２）を持ち、弧を描く様にドームを広げる事により形状を完成させる。完成後に内側からナットを締め込み、ドームの開閉位置を固定する。【００２２】分解に至っては、骨組み部（１）（２）（３）（４）（５）とドーム用カバー（８）を固定しているマジックテープを外し、ドーム用カバーを外した後にナット（７）を外す事より、全ての骨組み部（１）（２）（３）（４）（５）をボルトから取り外す事が出来る。後に各パーツを洗浄する。再度組み立てに関しては上記の説明の通りである。【００２３】以上の構成を以って、本発明を使用しない時には折りたたむ事が可能であり、必要に応じて各パーツの洗浄が可能になっており、湯面に浮く事も出来、固定器具を使用すれば水位や浴室を選ばず使用出来る浴槽用スチームサウナドームである。また、本発明は、以上述べた実施例に限定されるものではない。
【符号の説明】
【００２４】１    骨組み部１
２    骨組み部２
３    骨組み部３
４    骨組み部４
５    骨組み部５
６    接続用ボルト
７    接続用ナット
７ａ  ナットカバー
７ｂ  ナット
８    ドーム用カバー
９    固定用器具
９ａ  吸盤
９ｂ  固定器具カバー
９ｃ  針金芯
９ｄ  エンドキャップ
【図１】
2016097284.tif 000003
【図２】
2016097284.tif 000004
【図３】
2016097284.tif 000005
【図４】
2016097284.tif 000006
【図５】
2016097284.tif 000007
【図６】
2016097284.tif 000008
【図７】
2016097284.tif 000009